(57)【要約】      （修正有）【課題】差動伝送線路の差動インピーダンスと同相インピーダンスとを独自に設定できる基板の配線構造を提供する。【解決手段】配線基板１０は、差動信号を伝送する一対の信号線１１ａ、１１ｂと、第一絶縁層１２と、第一導体パターン１３と、第二絶縁層１４と、第二導体パターン１５と、を備える。第一導体パターン１３は一対の信号線に対向する位置に配置される。第二導体パターン１５は、第二絶縁層１４と、第二絶縁層１４を挟んでグラウンド又は電源に接続されている。一対の信号線１１ａ、１１ｂ、第一絶縁層１２、第一導体パターン１３、第二絶縁層１４及び第二導体パターン１５は、この順に積層されている。【選択図】図１
2020017830.tif 000002
【特許請求の範囲】
【請求項１】
差動信号を伝送する一対の信号線と、第一絶縁層と、前記一対の信号線に対向する位置に配置されたグラウンド又は電源に接続する第二導体パターンとに加え、少なくとも前記第一絶縁層を挟み前記一対の信号線に対向する位置で、前記第二導体パターンなど何処にも物理的に接続しない第一導体パターンを任意の層に配置した、積層基板に形成した高速差動伝送線路。
【請求項２】
第二絶縁層を更に備え、
前記一対の信号線、前記第一絶縁層、前記第一導体パターン、前記第二絶縁層、及び、前記第二導体パターンがこの順に積層された、
請求項１記載の積層基板に形成した高速差動伝送線路。
【請求項３】
第二絶縁層を更に備え、
前記第一導電パターンとして一個目と二個目とを備え、前記第一絶縁層として一個目と二個目とを備え、
一個目の前記第一導電パターン、一個目の前記第一絶縁層、前記一対の信号線、二個目の前記第一絶縁層、二個目の前記第一導電パターン、前記第二絶縁層、及び、前記第二導体パターンがこの順に積層された、
請求項１記載の積層基板に形成した高速差動伝送線路。
【請求項４】
第二絶縁層を更に備え、
前記第二導電パターンとして一個目と二個目とを備え、前記第二絶縁層として一個目と二個目とを備え、
前記一対の信号線は、両端部が非結合差動配線、中央部が結合差動配線となっており、
一個目及び二個目の前記第二導体パターンは、前記一対の信号線の前記中央部に対向する部分に穴が開けられ、
前記第一導体パターンは、前記一対の信号線の前記中央部に対向する部分にのみ配置され、
前記一対の信号線、前記第一絶縁層、一個目の前記第二導体パターン、一個目の前記第二絶縁層、前記第一導電パターン、二個目の前記第二絶縁層、及び、二個目の前記第二導体パターンがこの順に積層された、
請求項１記載の積層基板に形成した高速差動伝送線路。
【請求項５】
前記第一導電パターンは、前記一対の信号線の中央部に対向する位置に島状に配置され、
前記第二導電パターンは、前記第一導電パターンと同じ層に、前記第一導電パターンを取り囲むように配置され、
前記一対の信号線、前記第一絶縁層、並びに、同じ層に配置された前記第一導体パターン及び前記第二導体パターンがこの順に積層された、
請求項１記載の積層基板に形成した高速差動伝送線路。
【発明の詳細な説明】
【技術分野】
【０００１】
本発明は、超高速差動伝送線路において、差動伝送信号を通過させる一方、望ましくない同相信号を抑制する同相信号除去フィルタ機能を組み込んだ、積層基板に形成した高速差動伝送線路に関する。以下、「積層基板に形成した高速差動伝送線路」を「配線基板」と言い換えることがある。
【背景技術】
【０００２】
４０Ｇ／１００Ｇｂｐｓ動作が可能な[IEE Std 802.3ba-2010]イーサネット規格（イーサネットは登録商標）は、２０１０年６月に米国電気電子学会（ＩＥＥＥ）によって承認され、既に実用段階となっている。また、最新の規格であるPCI Express 4.0は、データ速度がPCI Express Gen3の１レーンあたり８Ｇｂｐｓの２倍である１６Ｇｂｐｓであり、１６レーン構成で６４ＧＢ／秒のシステム性能を実現する。更に、次世代のPCI Express 5.0ではPCI Express 4.0の２倍の伝送速度を目指している。このように信号の伝送速度は、上昇の一途を続けている。一方、通信を担う伝送回路の物理法則に変化は無いので、技術的な難易度は増すばかりである。
【０００３】
メタル配線を使う差動伝送通信の動作限界を決める主な要因は、インサーションロスとペア内スキューである。インサーションロスは、伝送回路の長さと誘電損が関係する。ペア内スキューは、差動信号波形の切り替わるタイミングのずれであり、下記表１に示すように伝送速度に反比例して許容値が減少する。ペア内スキューの許容値は、差動信号の挿入損失（Ｓｄｄ２１）と差動信号を入力した場合に出力される同相信号の比率（Ｓｃｄ２１）との差（Ｓｄｄ２１−Ｓｃｄ２１）が１２ｄＢ以上、必要であると考えられている。この条件を満たすペア内スキューは、ユニットインターバルの１６％以下である必要がある。この条件でペア内スキューによるインサーションロスの増加は、伝送速度に関わらず−０．３ｄＢ以下となる。
【０００４】
【表１】
2020017830.tif 000003
【０００５】
表１のペア内スキューの許容値は安定動作をさせるための指標であり、ペア内スキューが許容値を超えてもただちに通信が不可能となるわけではない。ペア内スキューがＵＩの３０％程度になると、挿入損失が約１ｄＢ増加するので、これが動作できる限界と考えられる。
【０００６】
ペア内スキューがＵＩの５０％以上になると、ＵＩ幅のデータでは差動信号が正しいか否かを判断できなくなる。したがって、同相インピーダンスと差動インピーダンスの差を利用する方法で補正できる限界は、ＵＩの５０％以下になる。
【０００７】
伝送路に存在するＧＮＤループが同相信号成分の通り道となり、同相信号成分が信号源となって電磁放射（ＥＭＩ）が発生する。ノイズの信号源を取り除くことと、ＧＮＤループを限りなく小さくすることが、ＥＭＩ発生を抑えるための要点である。
【０００８】
従来、ペア内スキューを抑制しＥＭＩを防止するために、コモンモード・チョークが使われている（例えば特許文献１参照）。コモンモード・チョークは、差動信号成分を減衰させずに通過させ、同相信号に対してはインダクタンスが大きくなることにより挿入損失を大きくして、差動伝送信号に含まれる同相信号成分を減衰させる。
【０００９】
コモンモード・チョークはインダクタンスを大きくするために磁性体のコアを使っており、その比透磁率は数千のオーダーである。磁性体と誘電体を使った伝送路の位相速度は（式１）で求めることができる。この式から、位相速度が光速の√（比透磁率×比誘電率）分の一に遅くなることがわかる。
【００１０】
Ｖｐ＝ｃ／√（μｓ×Ｅｒ）  ・・・  （式１）
ここで、Ｖｐ＝位相速度（ｍｍ／ｓ）、ｃ＝真空中の光速（３．３ｐｓ／ｍｍ）、μｓ＝比透磁率、Ｅｒ＝比誘電率である。
【００１１】
磁性体の比透磁率には周波数特性があるので、位相速度にも周波数特性が生じる。位相速度の周波数特性は、ネットワークアナライザを使って郡遅延特性（Group Delay）として測定できる。
【００１２】
群遅延の周波数特性が平坦でないと伝送波形の立ち上りエッジ／立ち下りエッジの位置がデータパターンに依存するため、結果的に符号間干渉ジッタになりアイパターンの開口部面積が狭くなり信号伝送に支障が生じる。
【００１３】
コモンモード・チョークを製造するメーカーは、郡遅延特性が平坦になるような材料と配線構造を採用しようとする。しかし、磁性体を使用する限り、郡遅延特性を平坦にすることは本質的に不可能であり、１０Ｇｂｐｓ以上の伝送速度では特に大きな問題になる。
【００１４】
ＥＭＩを抑制したい場合は伝送線路の信号入口側に、受信回路側でのペア内スキューを抑制したい場合は伝送線路の信号出口側に、それぞれコモンモード・チョークを配置する必要がある。両方とも必要であれば、コモンモード・チョークを二箇所に配置しなければならない。その場合、コモンモード・チョーク自体は比較的低損失であるが、接続パターン等のロスを含めると、超高速差動伝送では一箇所あたり−２〜−３ｄＢ程度の挿入損失を見込む必要がある。
【００１５】
コモンモード・チョークを実装するためには、基板表面層に配線パターンを配置する必要がある。このとき、多くの差動信号を扱う必要がある場合は、広い基板表面積を専有することになる。
【００１６】
複数の回路基板を相互接続するためのバックプレーンでは、多くの差動伝送配線が内層に配置される。内層に配置された差動伝送路に表面実装型のコモンモード・チョークを組み込むには、層間接続用のスルーホールと部品実装用パッドを表面層に追加する必要があるため、基板面積を消費し、伝送特性が劣化する問題がある。
【先行技術文献】
【特許文献】
【００１７】
【特許文献１】特開２００５−６４９７６公報
【特許文献２】特開２０１２−２２７８８７公報
【特許文献３】特開２０１１−７１７１０公報
【非特許文献】
【００１８】
【非特許文献１】Wei Zhuang, Yongrong Shi, Wanchun Tang and Yafei Dai,“Common-Mode Suppression Design for Gigahertz Differential Signals Based on C-Slot line”, Progress In Electromagnetics Research C, Vol. 61, page17-26, 2016
【非特許文献２】Jordi Naqui, Armando Fernandez-Prieto, Miguel Duran-Sindreu, Francisco Mesa, Jesus Martel, Francisco Medina, and Ferran Martin,“Common-Mode Suppression in Micro strip Differential Lines by Means of Complementary Split Ring Resonators: Theory and Applications”, IEEE TRANSACTIONS ON MICROWAVE THEORY AND TECHNIQUES, VOL.60, NO. 10, OCTOBER 2012
【発明の概要】
【発明が解決しようとする課題】
【００１９】
＜差動伝送配線に装備する同相除去フィルタに望まれる機能＞
（１）内層に配置された差動伝送配線に対しても適用可能なこと。
（２）カットオフ周波数がなく、高速伝送可能なこと。
（３）差動信号に対する挿入損失を増加させず同相信号成分のみ除去できること。
（４）平坦な郡遅延特性を持つこと。
（５）最少の基板面積で実装できること。
（６）特殊なプロセスを必要とせず、安定して製造できること。
【００２０】
そこで、本発明の主な目的は、差動伝送線路の差動インピーダンスと同相インピーダンスとを独自に設定できる基板の配線構造を実現することにある。
【課題を解決するための手段】
【００２１】
本発明に係る配線基板は、差動信号を伝送する一対の信号線と、第一絶縁層と、前記一対の信号線に対向する位置に配置されたグラウンド又は電源に接続する第二導体パターンとに加え、少なくとも前記第一絶縁層を挟み前記一対の信号線に対向する位置で、前記第二導体パターンなど何処にも物理的に接続しない第一導体パターンを任意の層に配置したものである。
【００２２】
本発明は、一対の差動伝送線路に対向する位置に、物理的にどこにも接続しない第一導体パターンを装備することを特徴とする。第一導体パターンは差動インピーダンスに影響するが同相インピーダンスには影響しないという現象を利用することで、差動伝送路の差動インピーダンスと同相インピーダンスをそれぞれ独自に設定することを可能とする。
本発明において、差動インピーダンスは、一対の差動伝送線路と第一導体パターン間を隔てる第一絶縁層の厚さと、差動伝送線路の自己インダクタンス及び相互インダクタンスによって決定される。同相インピーダンスは、一対の差動伝送線路とグランドまたは電源に接続した第二導体パターン間を隔てる第二絶縁層の厚さと、差動伝送線路の自己インダクタンスによって定まる。
【発明の効果】
【００２３】
本発明において、伝送回路の差動インピーダンスを駆動回路の特性インピーダンスに一致させて、インピーダンスミスマッチによる伝送損失を少なくする一方、同相インピーダンスを伝送線路の特性インピーダンスより大幅に大きな値になるように基板構造を設計することで、同相信号に対する挿入損失を増大させることができる。これで、プリント基板の配線のみを使用して、同相信号除去フィルタ機能の高速差動伝送路への組み込みが完成する。
【図面の簡単な説明】
【００２４】
【図１】実施形態１の配線基板を示す分解斜視図である。
【図２】図１におけるII−II線断面を拡大して示す図である。
【図３】実施形態１における差動伝送の動作原理を説明する図である。
【図４】実施形態１の具体例についてのシミュレーションによる特性インピーダンスを示すグラフである。
【図５】実施形態２の配線基板を示す分解斜視図である。
【図６】図５におけるＶＩ−ＶＩ線断面を拡大して示す図である。
【図７】実施形態２の具体例についてのシミュレーションによる特性インピーダンスを示すグラフである。
【図８】実施形態３の配線基板を示す分解斜視図である。
【図９】図８におけるＩＸ-ＩＸ線断面を拡大して示す図である。
【図１０】図８におけるＸ−Ｘ線断面を拡大して示す図である。
【図１１】実施形態３の具体例についてのシミュレーションによる特性インピーダンスを示すグラフである。
【図１２】実施形態４の配線基板を示す分解斜視図である。
【図１３】図１２におけるXIII−XIII線断面を拡大して示す図である。
【図１４】図１２におけるXIV−XIV線断面を拡大して示す図である。
【図１５】実施形態４の具体例についてのシミュレーションによる特性インピーダンスを示すグラフである。
【図１６】実施形態１の配線基板及び従来技術の配線基板についての実測によるインピーダンス特性を示すグラフである。
【図１７】実施形態１の配線基板及び従来技術の配線基板についての実測による差動信号挿入損失及び同相信号挿入を示すグラフである。
【図１８】実施形態１の配線基板及び従来技術の配線基板についての実測による同相信号除去性能を示すグラフである。
【図１９】従来技術における差動伝送の動作原理（その１）を説明する図である。
【図２０】従来技術における差動信号の動作原理（その２）を説明する図である。
【発明を実施するための形態】
【００２５】
まず、本発明の概要について説明する。以下、「ＧＮＤ」はグラウンドの略であり、「ＦＰ」はフローティング・プレートの略である。
【００２６】
非特許文献２では、ＧＮＤプレーンを部分的に切り欠いてスプリットリング共振器（ＣＳＲＲ）型フィルタを使ってコモンモードフィルタを構成する技術が開示されている。しかし、これは、本発明において使用しているＦＰパターンを追加する方法とは異なり、広い周波数範囲に渡って同相信号除去性能を得ることができない。
【００２７】
従来の差動伝送信号のＧＮＤプレーンは、差動信号のインピーダンスプレーンとしての役割と、同相信号成分のミラー電流路の役割とを果たしている。これに対し、本発明は、差動信号成分のインピーダンスプレーンとして機能するＦＰパターンを設け、ＧＮＤプレーンの役割を同相信号成分のミラー電流の通路とすることで、差動インピーダンスと同相インピーダンスとをそれぞれ独立して制御する。
【００２８】
ＦＰパターンをＧＮＤに接続してもしなくても、差動インピーダンスは変化しない。したがって、差動インピーダンスは従来と同じ方法で計算できる。この事実は、実測によって確認できる。
【００２９】
同相インピーダンスは、信号線を配置した層からＧＮＤプレーン又は電源プレーンまでの距離、及び、基材の誘電率等によって定まる。ＧＮＤプレーン又は電源プレーンと差動伝送区間とに挟まれる誘電体層を厚くすれば、同相インピーダンスは大きくなる。この構成において、ＧＮＤプレーン又は電源プレーンの位置は、差動インピーダンスにはほとんど影響しない。この事実は、実測によって確認できる。
【００３０】
以上の構造により、従来の差動伝送用配線における信号線の配線パターンを変えることなく、インピーダンスプレーンの構造を変えることで同相インピーダンスのみを大きくできる。すなわち、本発明は、チップ部品等を使用せず、基板の配線のみを使って、同相信号除去フィルタを構成する配線パターンの構造を提供するものである。
【００３１】
なお、同相インピーダンスを大きくすると、同相インピーダンスの不整合によって、伝送路の入口及び出口部分で同相信号の一部が反射するため、同相信号成分の挿入損失が大きくなる。ネットワークアナライザによって、同相信号の反射量がＳｃｃ１１として測定され、同相信号の挿入損失がＳｃｃ２１として測定される。
【００３２】
以下、添付図面を参照しながら、本発明を実施するための形態（以下「実施形態」という。）について説明する。なお、本明細書及び図面において、実質的に同一の構成要素については同一の符号を用いることにより、重複説明を省略する。図面に描かれた形状は、当業者が理解しやすいように描かれているため、実際の寸法及び比率とは必ずしも一致していない。
【００３３】
＜実施形態１＞
図１は、本実施形態１の配線基板を示す分解斜視図である。図２は、図１におけるII−II線断面を拡大して示す図であり、図１における各層を積み重ねた状態を示す。
【００３４】
図１及び図２に示すように、本実施形態１の配線基板１０は、差動信号を伝送する一対の信号線（１１ａ，１１ｂ）と、第一絶縁層（１２）と、一対の信号線（１１ａ，１１ｂ）に対向する位置に配置され物理的にどこにも接続しない第一導体パターン（１３）と、第二絶縁層（１４）と、第二絶縁層（１４）を挟んでグラウンド又は電源に接続する第二導体パターン（１５）と、を備え、一対の信号線（１１ａ，１１ｂ）、第一絶縁層（１２）、第一導体パターン（１３）、第二絶縁層（１４）、及び、第二導体パターン（１５）が積層されたものである。そして、配線基板１０は、一対の信号線（１１ａ，１１ｂ）、第一絶縁層（１２）、第一導体パターン（１３）、第二絶縁層（１４）、及び、第二導体パターン（１５）を、この順に積層する。
【００３５】
本実施形態１では、「一対の信号線」の一例として伝送路(１１ａ，１１ｂ)、「第一絶縁層」の一例として絶縁層(１２)、「第一導体パターン」の一例としてＦＰパターン(１３)、「第二絶縁層」の一例として絶縁層(１４)、「第二導体パターン」の一例としてグラウンド電位に接続されるＧＮＤプレーン(１５)、をそれぞれ採り上げる。伝送路(１１ａ，１１ｂ)は信号層(１１)に形成されている。
【００３６】
換言すると、絶縁層（１２）の下面かつ絶縁層１４の上面の全体にＦＰパターン（１３）が形成され、絶縁層（１４）の下面の全体にＧＮＤプレーン（１５）が形成されている。配線基板（１０）の各層の材質は、一般的な配線基板又は多層配線基板のそれらに準ずる。配線基板（１０）の製造方法は、一般的な配線基板又は多層配線基板の製造方法に準ずる。配線基板（１０）は、マイクロストリップラインで構成した同相信号除去フィルタ機能を有する。  なお、伝送路（１１ａ，１１ｂ）は複数対としてもよいし、配線基板（１０）の各層は複数層からなるとしてもよい。
【００３７】
配線基板（１０）の絶縁層の材質は、例えば、合成樹脂、又はセラミックスなどである。合成樹脂としては、例えば、ガラスエポキシ樹脂、ガラスポリイミド樹脂、フッ素樹脂などが挙げられる。配線基板（１０）の導体は、例えば金属箔などであり、より具体的な例として銅箔などが挙げられる。ここで、ガラスエポキシ樹脂及び銅箔からなる配線基板（１０）の製造方法の一例について説明する。まず、ガラス繊維からなる基材にエポキシ樹脂の前駆体を含浸させ、このエポキシ樹脂前駆体を所定の温度で熱硬化させることにより、絶縁層を得る。導体パターンは、ガラスエポキシ樹脂から成る樹脂シート上に、所定の形状に加工した銅箔を転写し、銅箔が転写された樹脂シートを積層して接着剤で接着することによって形成する。また、樹脂シートに形成した貫通孔の内面には、導体ペーストの印刷又はめっき法によって金属を被着形成するか、貫通孔内に金属を充填する。このような導体は、例えば金属箔又は金属柱を樹脂成形によって一体化させたり、スパッタリング法、蒸着法等を用いて被着させたりすることで形成される。
【００３８】
本実施形態１において、ＧＮＤプレーン（１５）の配置が同相インピーダンスを決定する要因となる。ＧＮＤプレーン（１５）は、回路構成のうえで用いているが、必ずしも基板上に形成する必要はなく、シールドボックス等をＧＮＤリターンとして使用してもよい。  また、「物理的にどこにも接続しない」は、「電気的にどこにも接続しない」、「物理的にどこにも電気接続しない」又は「電気的にフローディングである」などと言い換えてもよい。
【００３９】
次に、従来技術における差動伝送の動作原理について説明し、続いて本実施形態１における差動伝送の動作原理について説明する。
【００４０】
図１９は、従来技術の差動伝送における信号伝播を示す。図１９では、送信端（５１）→送信側ドライバ（５２）→伝送路（１１ａ，１１ｂ）→受信側レシーバ（５３）→受信端（５４）、と信号が伝わる。
【００４１】
送信端（５１）で入力信号を受けとった送信側ドライバ（５２）は、波形の切り替わりのタイミングが同じで極性が反転した差動信号（５９ａ、５９ｂ）を、それぞれ伝送路（１１ａ，１１ｂ）に伝達する。伝送路（１１ａ，１１ｂ）は互いに近接して配置され、電磁結合している。伝送路（１１ａ，１１ｂ）を流れる電流により伝送路（１１ａ，１１ｂ）の周囲に磁界（５５）が励起され、励起された磁界（５５）により電界（５６，５７）が励起され、電磁界（５５，５６、５７）が伝送路（１１ａ，１１ｂ）に沿って伝播する（５８）。発生した電磁界の同相信号成分（５７）は、伝送路（１１ａ，１１ｂ）を流れる電流とは逆極性のミラー電流（６０）をＧＮＤプレーン（１５）内に励起する。
【００４２】
差動信号（５９ａ，５９ｂ）は、伝送路（１１ａ，１１ｂ）どうしの電磁結合によって信号を伝達できるため、ＧＮＤプレーン（１５）が無くとも伝送は可能である。（ただしＧＮＤ配線は必要）。ＧＮＤプレーン（１５）が無い場合、送信側ドライバ（５２）と受信側レシーバ（５３）との間を接続するＧＮＤインダクタンスが大きくなり、同相インピーダンスは数百Ω以上となる。
【００４３】
伝送路（１１ａ，１１ｂ）の差動インピーダンスは、伝送路（１１ａ，１１ｂ）とＧＮＤプレーン（１５）との電磁結合によって定まる。伝送路（１１ａ，１１ｂ）を流れる差動信号成分に対するミラー電流は、ＧＮＤプレーン（１５）表面で打ち消し合う。一方、伝送路（１１ａ，１１ｂ）を流れる同相信号成分に対しては、ＧＮＤプレーン（１５）に逆極性のミラー電流（６０）が流れることにより、閉回路内の電流が０となるので、キルヒホッフの法則を満足する。
【００４４】
図２０は、従来技術の差動伝送における信号電流とミラー電流との関係、及び、差動信号成分と同相信号成分との関係を示す。伝送路入力端（６１ａ，６１ｂ）→伝送路（１１ａ，１１ｂ）→伝送路出力端（６２ａ，６２ｂ）と信号が伝わる。図２０では、差動信号（５９ａ）と差動信号（５９ｂ）との波形の切り替わりタイミングをずらして表示している。このとき、差動信号（５９ａ）と差動信号（５９ｂ）との差が差動信号成分（６３）の波形になり、差動信号（５９ａ）と差動信号（５９ｂ）との和が同相信号成分（６４）の波形になり、ミラー電流（６０）は、それと逆極性となる。
【００４５】
図３は、本実施形態１の差動伝送における信号電流とミラー電流との関係、及び、差動信号成分と同相信号成分との関係を示す。まず、ＦＰパターン（１３）を伝送路（１１ａ，１１ｂ）に対向する位置に設置する。そして、伝送路（１１ａ，１１ｂ）とＦＰパターン（１３）との間の絶縁層の厚さを調節することにより、所定の差動インピーダンスを定める。同相インピーダンスは、伝送路（１１ａ，１１ｂ）とＧＮＤプレーン（１５）間の絶縁層の厚さを調整することにより、差動インピーダンスとは無関係に設定する。伝送路（１１ａ，１１ｂ）を流れる差動信号成分の電界（５６）に対するミラー電流はＦＰパターン（１３）の表面で打消し合う。伝送路（１１ａ，１１ｂ）を流れる同相信号成分の電界（５７）に対しては、ＧＮＤプレーン（１５）には逆極性のミラー電流（６０）が流れることにより、閉回路内の電流が０となり、キルヒホッフの法則を満足する。
【００４６】
ＦＰパターン（１３）はどこにも接続されていないため、ＦＰパターン（１３）の内部電界は金属中の自由電子によって強制的に０になる。これは、内部電界が無くなるということではなく、金属内に勾配が０の極めて強力な電界が充満しているということである。このため、ＦＰパターン（１３）内は電流が流れないので、ＦＰパターン（１３）では伝送路（１１ａ，１１ｂ）上の同相信号成分が生成する電磁界との相互作用が起きない。ＦＰパターン（１３）の厚さは信号の波長に比べて非常に薄いので、光がアルミニウム箔を透過するのと同様、同相信号成分の電界（５７）がＦＰパターン（１３）を透過する。透過した同相信号成分の電界（５７）は、ＧＮＤプレーン１５に到達してミラー電流（６０）を励起する。結果として、同相インピーダンスは伝送路（１１ａ，１１ｂ）の自己インダクタンス、及び、伝送路（１１ａ，１１ｂ）とＧＮＤプレーン（１５）との間の静電容量によって定まる。
【００４７】
次に、図３で説明した動作原理に基づき、より具体的な例を挙げて、本実施形態１について説明する。
【００４８】
図１及び図２に示すように、伝送路（１１ａ，１１ｂ）を配置した信号層（１１）に対向した位置（従来はＧＮＤプレーンを配置した位置）に、絶縁層（１２）を挟んでＦＰパターン（１３）を設置する。そして、ＦＰパターン（１３）の外側に、絶縁層（１４）を挟んでＧＮＤプレーン（１５）を配置する。絶縁層（１２，１４）の厚みを選ぶことにより、伝送路（１１ａ，１１ｂ）の差動インピーダンスと同相インピーダンスとを個別に制御し、差動インピーダンスは所定の値に設定し、同相インピーダンスは差動インピーダンスよりも大きくなるように設定する。
【００４９】
伝送路（１１ａ，１１ｂ）を基板に配線する方法は多数存在するので、代表的な例を挙げて実際の設計方法を説明する。
【００５０】
ここで、同相インピーダンスの表記方法について言及する。本明細書での同相インピーダンス表記は二本の伝送路のインピーダンスを加算して示している。この表記方法では、電磁結合がない差動信号線路それぞれのシングルエンド動作のインピーダンスが５０Ωの場合、同相インピーダンスと差動インピーダンスは、共に１００Ωとなる。この表記方法であれば、差動インピーダンスと同相インピーダンスとを直接比較でき、直感的に理解しやすい。
【００５１】
一般的な表記方法では、２本の信号ラインを並列接続したものとして同相インピーダンスを計算する方法が使われている。この表記方法では、電磁結合がない差動信号線路それぞれのシングルエンド動作のインピーダンスが５０Ωの場合、差動インピーダンスが１００Ω、同相インピーダンスは２５Ωとなる。これは、ベクトルネットワークアナライザ（ＶＮＡ）計測機で使われてきた表記方法である。
【００５２】
配線基板（１０）の設計方法の一例を以下に記す。
○全長がマイクロストリップからなる差動伝送線路とする。
○絶縁層（１２）の表面に伝送路（１１ａ，１１ｂ）を配置する。
○絶縁層（１２）を挟んでＦＰパターン（１３）を配置する。
○ＦＰパターン（１３）は物理的にどこにも接続しないフローティング状態とする。
○更に絶縁層（１４）を挟んでＧＮＤプレーン（１５）を配置する。
【００５３】
図４は、実施形態１の具体例についてのシミュレーションによる特性インピーダンスを示すグラフである。配線基板（１０）は、マイクロストリップラインに同相除去フィルタ機能を実装したものであり、シミュレーションモデルは次のように作成した。
【００５４】
図１に示すパラメータを、Ｗ＝０．０８ｍｍ、ｔ＝０．０３５ｍｍ、Ｈ１＝０．２ｍｍ、Ｈ２＝０．２ｍｍ、Ｇａｐ＝０．１８ｍｍ、Ｌ＝１５ｍｍ、とした。ここで、Ｗは伝送路（１１ａ，１１ｂ）の幅、ｔは伝送路（１１ａ，１１ｂ）の厚み、Ｈ１は絶縁層（１２）の厚み、Ｈ２は絶縁層（１４）の厚み、Ｇａｐは伝送路（１１ａ，１１ｂ）間の隙間、Ｌは伝送路（１１ａ，１１ｂ）の長さである。絶縁層（１２，１４）の比誘電率（Ｅｒ）は４．３とした。
【００５５】
図４は、ＴＤＲ（Time Domain Reflectometry）法のシミュレーション結果であり、横軸が時間（ｎｓ）、縦軸がインピーダンス（Ω）、実線が差動インピーダンス、破線が同相インピーダンスを表示する。図４から明らかなように、差動インピーダンスに比べて同相インピーダンスがかなり大きくなっており、マイクロストリップラインにおいて同相除去フィルタ機能が実装できたことを確認できる。
【００５６】
＜実施形態２＞
図５は、本実施形態２の配線基板を示す分解斜視図である。図６は、図５におけるＶI-ＶI線断面を拡大して示す図であり、図５における各層を積み重ねた状態を示す。
【００５７】
図５及び図６に示すように、本実施形態２の配線基板（２０）は、差動信号を伝送する一対の信号線（２１ａ，２１ｂ）と、第一絶縁層（２２，２７）と、一対の信号線（２１ａ，２１ｂ）に対向する位置に配置され物理的にどこにも接続しない第一導体パターン（２３，２６）と、第二絶縁層（２４）と、第二絶縁層（２４）を挟んでグラウンド又は電源に接続する第二導体パターン（２５）と、を備え、一対の信号線（２１ａ，２１ｂ）、第一絶縁層（２２，２７）、第一導体パターン（２３，２６）、第二絶縁層（２４）、及び、第二導体パターン（２５）が積層されたものである。そして、配線基板２０は、第一導電パターン（２３，２６）として一個目と二個目とを備え、第一絶縁層（２２，２７）として一個目と二個目とを備え、一個目の第一導電パターン（２６）、一個目の第一絶縁層（２７）、一対の信号線（２１ａ，２１ｂ）、二個目の第一絶縁層（２２）、二個目の第一導電パターン（２３）、第二絶縁層（２４）、及び、第二導体パターン（２５）を、この順に積層する。
【００５８】
本実施形態２では「一対の信号線」の一例として伝送路（２１ａ，２１ｂ）、「二個目の第一絶縁層」の一例として絶縁層（２２）、「二個目の第一導体パターン」の一例としてＦＰパターン（２３）、「第二絶縁層」の一例として絶縁層（２４）、「第二導体パターン」の一例としてグラウンド電位に接続されるＧＮＤプレーン（２５）、「一個目の第一導体パターン」の一例としてＦＰパターン（２６）、「一個目の第二絶縁層」の一例として絶縁層（２７）をそれぞれ採り上げる。伝送路（２１ａ，２１ｂ）は信号層（２１）に形成する。
【００５９】
換言すると、絶縁層（２７）の上面の全体にＦＰパターン（２６）を形成し、絶縁層（２２）の下面かつ絶縁層（２４）の上面の全体にＦＰパターン（２３）を形成する。絶縁層（２４）の下面の全体にＧＮＤプレーン（２５）を形成する。配線基板２０の各層の材質は、一般的な配線基板又は多層配線基板のそれらに準ずる。配線基板２０の製造方法は、一般的な配線基板又は多層配線基板の製造方法に準ずる。配線基板２０は、ストリップラインで構成した同相信号除去フィルタ機能を有する。伝送路（２１ａ，２１ｂ）は複数対としてもよいし、配線基板（２０）の各層は複数層からなるとしてもよい。
【００６０】
配線基板２０の設計方法の一例を以下に記す。
○全長がストリップラインからなる差動伝送線路とする。
○伝送路（２１ａ，２１ｂ）の両側にそれぞれ絶縁層（２２，２７）を挟んでＦＰパターン（２３，２６）を配置する。
○ＦＰパターン（２３，２６）は物理的にどこにも接続しないフローティング状態とする。
○ＦＰパターン（２３）に対し絶縁層（２４）を挟んでＧＮＤプレーン（２５）を配置する。
【００６１】
図７は、実施形態２の具体例についてのシミュレーションによる特性インピーダンスを示すグラフである。配線基板（２０）は、ストリップラインに同相除去フィルタ機能を実装したものであり、そのシミュレーションモデルは次のように作成した。図５に示すパラメータは、Ｗ＝０．０８ｍｍ、ｔ＝０．０３５ｍｍ、Ｈ１＝Ｈ２＝＝Ｈ３＝０．２ｍｍ、Ｇａｐ＝０．３６ｍｍ、Ｌ＝１５ｍｍとした。ここで、Ｗは伝送路（２１ａ，２１ｂ）の幅、ｔは伝送路（２１ａ，２１ｂ）の厚み、Ｈ１は絶縁層（２７）の厚み、Ｈ２は絶縁層（２２）の厚み、Ｈ３は絶縁層（２４）の厚み、Ｇａｐは伝送路（２１ａ，２１ｂ）どうしの隙間の距離、Ｌは伝送路（２１ａ，２１ｂ）の長さである。絶縁層（２２，２４，２７）の比誘電率（Ｅｒ）は４．３とした。
【００６２】
図７は、ＴＤＲ法のシミュレーション結果であり、横軸が時間（ｎｓ）、縦軸がインピーダンス（Ω）、実線が差動インピーダンス、破線が同相インピーダンスを表示する。図７から明らかなように、差動インピーダンスに比べて同相インピーダンスがかなり大きくなっており、ストリップラインに同相除去フィルタ機能が実装できたことを確認できる。本実施形態２のその他の構成、作用及び効果は、実施形態１のそれらと同様である。
【００６３】
＜実施形態３＞
図８は実施形態３の配線基板を示す分解斜視図である。図９は図８におけるＩＸ-ＩＸ線断面を拡大して示す図である。図１０は、図８におけるＸ−Ｘ線断面を拡大して示す図である。図９及び図１０は、図８における各層を積み重ねた状態を示す。
【００６４】
図８乃至図１０に示すように、本実施形態３の配線基板（３０）は、差動信号を伝送する一対の信号線（３１ａ，３１ｂ）と、差動インピーダンスを決める第一絶縁層（３２）及び第二絶縁層（３４）と、一対の信号線（３１ａ，３１ｂ）に対向する位置に配置され物理的にどこにも接続しない第一導体パターン（３３）と、第一絶縁層（３２）を挟んでグラウンド又は電源に接続する２組の第二導体パターン（３５、３７）と第二絶縁層（３４、３６）を備えている。
【００６５】
一対の信号線（３１ａ，３１ｂ）を配置した層（３１）、第一絶縁層（３２）、一個目の第二導体パターン（３５）、一個目の第二絶縁層（３４）、第一導電パターン（３３）、二個目の第二絶縁層（３６）、二個目の第二導体パターン（３７）の順に積層する。
【００６６】
配線基板３０の一対の信号線（３１ａ，３１ｂ）の両端部（３１１，３１２）は非結合差動配線、中央部（３１３）は結合差動配線となっている。一個目及び二個目の第二導体パターン（３５，３７）は、一対の信号線（３１ａ，３１ｂ）の中央部（３１３）に対向する部分に穴（３５１，３７１）を開け、この穴に対向する位置に、穴と同一形状の第一導体パターン（３３）を設置する。配線基板（３０）の各層は、平面視して、中央部（３２１）と中央部（３２１）を取り囲む周辺部（３２２）とに分けられる。
【００６７】
伝送路（３１ａ，３１ｂ）は、ＧＮＤ接続パターン（３１ｃ）とともに、信号層（３１）に形成する。配線基板（３０）は、その四隅に２個の貫通スルーホール（３８）が形成されている。貫通スルーホール（３８）によって、ＧＮＤ接続パターン（３１ｃ）及びＧＮＤプレーン（３５，３７）を電気的に接続する。また、配線基板（３０）は、シールドボックス（３９）内に収容され、ＧＮＤ接続パターン（３１ｃ）とシールドボックス（３９）は電気的に接続する。
【００６８】
一対の信号線（３１ａ，３１ｂ）の周辺部（３１１，３１２）のインピーダンスは信号線の線幅（Ｗ）と、第一絶縁層（３２）の厚みによって同相インピーダンスと差動インピーダンスが定まる。
【００６９】
中央部（３１３）の差動インピーダンスは、一対の信号線（３１ａ，３１ｂ）の間隔（Ｇａｐ１）と第一絶縁層（３２）と一個目の第２絶縁層（３４）の厚さの合計（Ｈ１＋Ｈ２）で定まる。間隔（Ｇａｐ１）が近いほど、電磁結合度が増加し、差動インピーダンスは低下する。絶縁層が厚くなれば、静電容量が減少し、差動インピーダンスは増加する。
【００７０】
外部シールドボックス（３９）は、一対の信号線（３１ａ，３１ｂ）の中央部（３１３）に対する同相信号成分に対するインピーダンスプレーンとして機能する。
【００７１】
本実施形態３では、「一対の信号線」の一例として伝送路（３１ａ，３１ｂ）、「第一絶縁層」の一例として絶縁層（３２）、「第一導体パターン」の一例としてＦＰパターン（３３）、「一個目の第二絶縁層」の一例として絶縁層（３４）、「一個目の第二導体パターン」の一例としてグラウンド電位に接続されるＧＮＤプレーン（３５）、「二個目の第二絶縁層」の一例として絶縁層（３６）、「二個目の第二導体パターン」の一例としてグラウンド電位に接続されるＧＮＤプレーン（３７）、をそれぞれ採り上げる。
【００７２】
配線基板（３０）の各層の材質は、一般的な配線基板又は多層配線基板のそれらに準ずる。配線基板（３０）の製造方法は、一般的な配線基板又は多層配線基板の製造方法に準ずる。配線基板（３０）は、非結合差動伝送路と結合差動伝送路が混在する配線構成であって、同相信号除去フィルタ機能を有する。なお、伝送路（３１ａ，３１ｂ）は複数対としてもよいし、配線基板（３０）の各層は複数層からなるとしてもよい。
【００７３】
配線基板３０の設計方法の一例を以下に記す。
○マイクロストリップラインからなる差動伝送線路とする。
○伝送路（３１ａ，３１ｂ）は、両端部分（３１１，３１２）の線間距離を離し、中間部分（３１３）の線間距離を近づける。
○伝送路（３１ａ，３１ｂ）の線幅Ｗは全長に渡って一定のままとする。
○絶縁層（３２）を挟んでＧＮＤプレーン（３５）を設置する。ＧＮＤプレーン（３５）は、線間距離を近づけた中間部分（３３１）に対向するパターンをくりぬいた枠状にする。
○絶縁層（３２）の厚みを例えば０．２ｍｍとし、線幅Ｗがシングルエンド動作のとき、例えば５０Ωになるよう設定する
○絶縁層(３４)を挟んでＦＰプレーン（３３）を設置する。ＦＰプレーン（３３）は、ＧＮＤプレーン（３５）のくりぬかれた部分に対向する島状パターンにする。
○絶縁層（３４）の厚みを例えば０．２ｍｍとし、絶縁層(３２)と絶縁層(３４)との厚みを合計した厚みに対して、線幅Ｗの配線の差動インピーダンスが例えば１００Ωになるよう線間距離を設定する。
○絶縁層（３６）を挟んでＧＮＤプレーン（３７）を設置する。ＧＮＤプレーン（３７）は、中間部分（３１３）に対向するパターンをくりぬいた枠状であり、外部コネクタのＧＮＤとの接続用である。
○貫通スルーホール（３８）を使って、二枚のＧＮＤプレーン（３５，３７）とＧＮＤ接続用パターン（３１ｃ）とを接続する。
【００７４】
図１１は、実施形態３の具体例についてのシミュレーションによる特性インピーダンスを示すグラフである。配線基板（３０）は、非結合差動伝送路と結合差動伝送路が混在する配線に同相除去フィルタ機能を実装したものであり、そのシミュレーションモデルは次のように作成した。
【００７５】
図８に示すパラメータは、Ｗ＝０．３３ｍｍ、ｔ＝０．０３５ｍｍ、Ｈ１＝Ｈ２＝Ｈ３＝０．２ｍｍ、Ｇａｐ１＝０．１８ｍｍ、Ｇａｐ２＝４．０ｍｍ、Ｌ１＝３０ｍｍ、Ｌ２＝１０ｍｍとした。ここで、Ｗは伝送路（３１ａ，３１ｂ）の幅、tは伝送路（３１ａ，３１ｂ）の厚み、Ｈ１は絶縁層（３２）の厚み、Ｈ２は絶縁層（３４）の厚み、Ｈ３は絶縁層（３６）の厚み、Ｇａｐ１は中央部（３１３）における伝送路（３１ａ，３１ｂ）間の距離、Ｇａｐ２は周囲部（３１１，３１２）における伝送路（３１ａ，３１ｂ）の隙間、Ｌ１は配線基板３０の全長、Ｌ２はＧＮＤプレーン（３５，３７）の長さ方向の間隙長である。絶縁層（３２，３４，３６）の比誘電率（Ｅｒ）は４．３とした。
【００７６】
図１１は、ＴＤＲ法のシミュレーション結果であり、横軸が時間（ｎｓ）、縦軸がインピーダンス（Ω）、実線が差動インピーダンス、破線が同相インピーダンスを表示する。図１１から明らかなように、差動インピーダンスに比べて同相インピーダンスがかなり大きくなっており、非結合差動伝送路と結合差動伝送路とが混在する配線に同相除去フィルタ機能が実装できたことを確認できる。本実施形態３のその他の構成、作用及び効果は、実施形態１及び実施形態２と同様である。
【００７７】
＜実施形態４＞
図１２は、実施形態４の配線基板を示す分解斜視図である。図１３は、図１２におけるXIII−XIII線断面を拡大して示す図である。図１４は、図１２におけるXIV−XIV線断面を拡大して示す図である。図１３及び図１４は、図１２における各層を積み重ねた状態を示す。
【００７８】
図１２乃至図１４に示すように、本実施形態４の配線基板（４０）は、差動信号を伝送する一対の信号線（４１ａ，４１ｂ）と、差動インピーダンスを決める第一絶縁層（４２）を隔てて、中央部に枠状の穴（４２３）を明けた、グラウンド電位に接続される第二導体パターン（４４）と、枠状の穴（４２３）の内側に物理的にどこにも接続しない第一導体パターン（４３）を配置した両面配線基板で構成される。
【００７９】
本実施形態４では、「一対の信号線」の一例として伝送路（４１ａ，４１ｂ）、「第一絶縁層」の一例として絶縁層（４２）、「第一導体パターン」の一例としてＦＰパターン（４３）、「第二導体パターン」の一例としてグラウンド電位に接続されるＧＮＤプレーン（４４）をそれぞれ採り上げる。ＧＮＤプレーン（４４）とＦＰパターン（４３）との隙間をＯ型スリット（４２３）と称する。
【００８０】
伝送路（４１ａ，４１ｂ）は、ＧＮＤ接続パターン（４１ｃ）とともに、信号層（４１）から形成されている。配線基板（４０）は、その四隅に二個ずつ貫通スルーホール（４５）が形成されている。貫通スルーホール（４５）によって、ＧＮＤ接続パターン（４１ｃ）及びＧＮＤプレーン（４４）が電気的に接続されている。同一面上に形成されたＦＰパターン（４３）とＧＮＤプレーン（４４）は、Ｇａｐ２（４７），Ｇａｐ３（４８）の間隙を有するＯ型スリットになっている。また、配線基板（４０）は、シールドボックス（４９）内に収容されている。配線基板（４０）の各層は、平面視して中央部（４２１）とそれを取り囲む周辺部（４２２）とに分けられる。
【００８１】
換言すると、絶縁層（４２）の下面の周辺部（４２２）にＧＮＤプレーン（３４）が枠状に形成され、絶縁層（４２）の下面の中央部（４２１）にＦＰパターン（４３）が島状に形成されている。配線基板（４０）の各層の材質は、一般的な配線基板又は多層配線基板のそれらに準ずる。配線基板（４０）の製造方法は、一般的な配線基板又は多層配線基板の製造方法に準ずる。配線基板（４０）は、Ｏ型スリット（４２３）で構成した同相信号除去フィルタ機能を有する。
【００８２】
配線基板（４０）の設計方法の一例を以下に記す。
○  マイクロストリップラインを使った差動伝送線路とする。
○  絶縁層（４２）の表面に伝送路（４１ａ，４１ｂ）を配置する。
○  伝送路（４１ａ，４１ｂ）に対し、絶縁層（４２）を挟んでＦＰパターン（４３）とそれを囲むＧＮＤプレーン（４４）を配置する。
○  ＦＰパターン（４３）は物理的にどこにも接続しないフローティング状態とする
○  伝送路（４１ａ，４１ｂ）間の隙間であるＧａｐ１（４６）は、伝送路（４１ａ，４１ｂ）間の電磁界結合が多くなるよう接近させる。
○  Ｏ型スリット（４２３）の伝送路が交差するＧａｐ２（４７）はインピーダンスの連続性が保てるよう狭く設定する。伝送路が交差しないＧａｐ３（４８）はＦＰパターン（４３）とＧＮＤプレーン（４４）間の静電結合が小さくなるように広く設定する。
【００８３】
図１５は、実施形態４の具体例についてのシミュレーションによる特性インピーダンスを示すグラフである。配線基板（４０）は、マイクロストリップラインを使った基板にＧＮＤプレーンにＯ型スリットを形成することで、同相除去フィルタ機能を実装したものである。シミュレーションモデルのパラメータを以下に示す。
【００８４】
図１２に示すパラメータは、Ｗ＝０．３ｍｍ、ｔ＝０．０３５ｍｍ、Ｈ＝０．２ｍｍ、Ｇａｐ１＝１．０ｍｍ、Ｇａｐ２＝０．１５ｍｍ、Ｇａｐ３＝０．５ｍｍ、Ｌ１＝９ｍｍ、Ｌ２＝４ｍｍとした。ここで、Ｗは伝送路（４１ａ，４１ｂ）の幅、ｔ（４７）は伝送路（４１ａ，４１ｂ）の厚み、Ｈは絶縁層（４２）の厚み、Ｇａｐ１（４６）は伝送路（４１ａ，４１ｂ）の間隔、Ｇａｐ２（４７）は伝送路（４１ａ，４１ｂ）が交差する位置での中央部（４２１）のパターンと周辺部（４２２）のパターンとの間隔。Ｇａｐ３（４８）は伝送路（４１ａ，４１ｂ）が交差しない位置での中央部のパターン（４２１）と周辺部のパターン（４２２）との隙間です。絶縁層（４２）比誘電率（Ｅｒ）は４．３とした。
【００８５】
図１５は、ＴＤＲ法のシミュレーション結果であり、横軸が時間（ｎｓ）、縦軸がインピーダンス（Ω）、実線が差動インピーダンス、破線が同相インピーダンスを表示する。図１５から明らかなように、差動インピーダンスに比べて同相インピーダンスがかなり大きくなっており、Ｏスリット構造によってマイクロストリップラインに同相除去フィルタ機能が実装できたことを確認できる。本実施形態４のその他の構成、作用及び効果は、実施形態１〜３のそれらと同様である。
【００８６】
＜実施例及び比較例＞
実施例及び比較例の実測結果について以下に説明する。実施例は、実施形態１を適用した配線基板にケーブルを配線したものである。（すなわち同相信号除去フィルタ機能付基板を使用したケーブルアセンブリ）  比較例は、従来技術による配線基板にケーブルを配線したものである。(すなわちスルー接続基板を使用したケーブルアセンブリ）ケーブル長はいずれも１ｍである。
【００８７】
図１６は、実施例及び比較例の実測値から得られたインピーダンス特性を示すグラフである。 この図から、本実施例と比較例を比較すると、差動インピーダンスは、ほとんど差がないが、本実施例の同相インピーダンスが比較例より大きくなることを確認できる。
【００８８】
図１７は、実施例及び比較例についての実測による差動信号挿入損失及び同相信号挿入を示すグラフである。図１８は、実施例及び比較例についての実測による同相信号除去性能（ＣＭＲ）を示すグラフである。図１７及び図１８から、本実施例において、差動信号を減衰させることなく、同相信号を大幅に除去できることを確認できる。すなわち同相除去フィルタ機能が実装できたことを確認できる。
【００８９】
＜本発明の効果＞
本発明は、課題の欄において「差動伝送線路に装備する同相信号除去フィルタに望まれる機能」として掲げた全ての項目に対して、解決策を提供する。
【００９０】
（１）内層に配置された差動伝送線路に対しても適用可能なこと。
実施形態２で、ストリップラインを使用した差動伝送線路に同相信号成分除去フィルタ機能を付加する方法について解説した。これまでの技術では困難であった内層に配置された差動伝送線路に、極めて単純な方法で、同相信号成分除去フィルタ機能を組み込めることを示した。
【００９１】
（２）カットオフ周波数がなく、高速伝送可能なこと。
本発明によれば、同相信号成分除去フィルタ機能を付加してもカットオフ周波数が変化することはない。すなわち、同相信号成分除去機能を伝送線路の全周波数帯域に対して付加することが可能である。図１８に示した実施例の測定結果では、１０ＧＨｚ（２０Ｇｂｐｓでの基本周波数）で−１３ｄＢ、そこから２０ＧＨｚまで−６ｄＢ以上の同相信号成分除去比（ＣＭＲ）特性を示している。図１６に示した比較例の測定結果においてレセプタクル及びコネクタプラグ部の同相インピーダンスが大きくなっているのは、コネクタ内の差動信号線間の電磁結合が大きくなっていることを示している。
【００９２】
（３）差動信号に対する挿入損失を増加させず同相信号成分のみ除去できる。
図１６および図１７に示す実施例の測定結果から、コモンモードフィルタ機能を組み込んでも、差動インピーダンスが変化せず、差動挿入損失（Sdd21）が変化しないことを確認できる。
【００９３】
（４）平坦な郡遅延特性を持つこと。
各実施形態において磁性体を使用しないことで、郡遅延特性による符号間干渉ジッタの発生を回避する。
【００９４】
（５）最少の基板面積で実装できること
ＦＰパターンは差動伝送信号に対向する位置に設置するが、他の電源層、ＧＮＤ層、信号層等に設置することができるため、新たな専有面積を専有せずに同相信号成分除去フィルタ機能を実装することができる。
【００９５】
（６）特殊なプロセスを必要とせず、安定して製造できること。
同相信号成分除去フィルタ機能を実装するために、ファインパターンやスルーホールを追加する必要は無く、通常の製造プロセスを使って製造できる。
【００９６】
＜基板設計上の効果＞
離れた位置に設置された同軸コネクタ等から半導体チップ間に差動伝送信号を配線する場合、非結合差動配線と結合差動配線とを組み合わせて使用する。結合差動配線部ではペア線間の電磁結合によって差動インピーダンスが小さくなる効果を補正するため、パターン幅を狭くして配線する必要があった。
【００９７】
パターン幅の切り替わり部分ではエッジ効果の発生を避けるためにテーパー状にパターン幅を形成する必要があるため、パターン設計がきわめて面倒であった。実施形態３に示した構造では、信号線の幅を一定に保ったまま差動伝送線路を配置できるため、パターン設計が単純になり、ペア線それぞれの長さを完全に同じにすることが簡単に実現できるようになった。
【００９８】
また、線幅が細くなる部分は表皮効果が顕著になるため挿入損失が増加する。同じ線幅のまま配線すればこの問題を回避できる
【００９９】
＜配線システムとしての効果＞
本発明は、差動伝送線路そのものにコモンモードフィルタ機能を実装することによって、ＥＭＩの信号源そのものからのノイズ信号すなわち同相信号成分を取り除く。また、ペア内スキューが配線長に比例して増加することがなくなり、伝送距離の限界を押し広げることを可能とした。このことは、もはやペア内スキューが伝送速度限界の主たる制限要因でなくなることを意味する。
【０１００】
本発明は、システム設計上の自由度を大幅に広げることを可能にする。プリント配線基板の多層配線に、実施形態1〜４に示した技術や、本発明の基本原理にのっとった技術を、設計上の必要に合わせて組み合わせることにより、最適な回路設計を実現する手段を提供できる。
【０１０１】
＜その他＞
以上、本発明を上記各実施形態に即して説明したが、本発明は、上記各実施形態の構成や動作にのみ限定されるものではなく、本発明の範囲内で当業者であればなし得ることが可能な各種変形及び修正を含むことはもちろんである。また、本発明には、上記各実施形態の構成の一部又は全部を相互に適宜組み合わせたものも含まれる。
【０１０２】
換言すると、本発明は以下のようにまとめることもできる。
【０１０３】
本発明は、差動信号成分を減衰させることなく同相信号成分を減衰できる同相信号除去フィルタ機能を有する差動伝送配線を、半導体部品やコネクタ等の電子部品を搭載した基板配線のみを使って実現するパターン設計方法を提供する。
【０１０４】
メタル配線を使う差動伝送通信の動作限界を決める主な要因の一つがペア内スキューである。ペア内スキューの発生原因は、１組の差動伝送信号の配線長のばらつきや、伝送路の特性のばらつき、信号を駆動する集積回路の出力信号のばらつき等がある。１０Ｇｂｐｓを超える伝送速度では、従来使用されてきたコモンモード・チョークによる同相信号成分除去の性能が限界に達しており、これに代わる解決法が求められている。
【０１０５】
本発明は、差動伝送信号の損失を増やすことなく、同相信号成分のみを除去する同相信号除去フィルタ機能を有する高速差動伝送線路を、配線パターンのみを使用して積層基板に形成することで、ペア内スキューの発生要因であった伝送路そのものにペア内スキューを抑制する機能を追加することでペア内スキューを削減し、高速差動伝送の伝送速度限界を拡張するとともに、ＥＭＩの発生を抑制する。
【０１０６】
差動伝送線路の差動インピーダンスと同相インピーダンスとを独自に設定できる基板の配線構造を実現することで上記の課題を達成する。本発明により実現される同相信号除去フィルタ機能は広帯域であり、かつコモンモード・チョークのような部品を使用しないため、基板の内層に配線された差動伝送線路にも同相信号除去フィルタ機能を組み込むことが可能となる。また、コモンモード・チョークが磁性体を使用しているため、郡遅延が周波数特性を持ち、伝送信号の波形を歪めるため１０Ｇｂｐｓ以上での動作が困難であるという問題を、磁性体を使用しないことで回避している。
【０１０７】
４種の具体的設計例と１種の実施例と比較例の実測結果を示した。
設計例１
配線基板１０は、差動信号を伝送する一対の信号線（１１ａ，１１ｂ）と、第一絶縁層（１２）と、一対の信号線（１１ａ，１１ｂ）に対向する位置に配置され物理的にどこにも接続しない第一導体パターン（１３）と、第二絶縁層（１４）と、第二絶縁層（１４）を挟んでグラウンド又は電源に接続する第二導体パターン（１５）と、を備え、一対の信号線（１１ａ，１１ｂ）、第一絶縁層（１２）、第一導体パターン（１３）、第二絶縁層（１４）、及び、第二導体パターン（１５）を、この順に積層する。
【産業上の利用可能性】
【０１０８】
本発明は、例えばＬＶＤＳ（Low Voltage Differential Signal）などの差動インターフェースを用いた超高速差動伝送線路に好適に用いることができる。
【符号の説明】
【０１０９】
＜実施形態１＞
１０  配線基板
１１  信号層
１１ａ，１１ｂ  伝送路（一対の信号線）
１２  絶縁層（第一絶縁層）
１３  ＦＰパターン（第一導体パターン）
１４  絶縁層（第二絶縁層）
１５  ＧＮＤプレーン（第二導体パターン）
＜実施形態２＞
２０  配線基板
２１  信号層
２１ａ，２１ｂ  伝送路（一対の信号線）
２２  絶縁層（二個目の第一絶縁層）
２３  ＦＰパターン（二個目の第一導体パターン）
２４  絶縁層（第二絶縁層）
２５  ＧＮＤプレーン（第二導体パターン）
２６  ＦＰパターン（一個目の第一導体パターン）
２７  絶縁層（一個目の第一絶縁層）
＜実施形態３＞
３０  配線基板
３１  信号層
３１ａ，３１ｂ  伝送路（一対の信号線）
３１ｃ  ＧＮＤ接続パターン
３１１，３１２  非結合差動伝送区間
３１３  結合差動伝送区間
３２  絶縁層（第一絶縁層）
３２１  中央部
３２２  周辺部
３３  ＦＰパターン（第一導体パターン）
３４  絶縁層（一個目の第二絶縁層）
３５  ＧＮＤプレーン（一個目の第二導体パターン）
３６  絶縁層（二個目の第二絶縁層）
３７  ＧＮＤプレーン（二個目の第二導体パターン）
３８  貫通スルーホール
３９  シールドボックス
３１１，３１２  両端部
３５１，３７１  穴
＜実施形態４＞
４０  配線基板
４１  信号層
４１ａ，４１ｂ  伝送路（一対の信号線）
４１ｃ  ＧＮＤ接続パターン
４２  絶縁層（第一絶縁層）
４２１  中央部
４２２  周辺部
４２３  ０型スリット
４３  ＦＰパターン（第一導体パターン）
４４  ＧＮＤプレーン（第二導体パターン）
４５  貫通スルーホール
４７  伝送路が交差する中央部と周辺部の隙間
４８  伝送路が交差しない中央部と周辺部の隙間
４９  シールドボックス
【図１】
2020017830.tif 000004
【図２】
2020017830.tif 000005
【図３】
2020017830.tif 000006
【図４】
2020017830.tif 000007
【図５】
2020017830.tif 000008
【図６】
2020017830.tif 000009
【図７】
2020017830.tif 000010
【図８】
2020017830.tif 000011
【図９】
2020017830.tif 000012
【図１０】
2020017830.tif 000013
【図１１】
2020017830.tif 000014
【図１２】
2020017830.tif 000015
【図１３】
2020017830.tif 000016
【図１４】
2020017830.tif 000017
【図１５】
2020017830.tif 000018
【図１６】
2020017830.tif 000019
【図１７】
2020017830.tif 000020
【図１８】
2020017830.tif 000021
【図１９】
2020017830.tif 000022
【図２０】
2020017830.tif 000023